(57)【要約】【課題】  手術で使用される器具の長さに基づき、器具をカウントすることが可能となり、手術前後で器具数が異なった場合に器具が足りないかを使用者に提示することができる器具カウント装置を提供する。【解決手段】  手術室に持ち込まれた器具の本数を長さごとに記録する記憶部１と、投函された器具を長さごとに分別する分別部２と、分別された器具を長さごとに集計する集計部３と、集計部３が集計した結果と記憶部１の記録とを照合して器具の不足の有無を確認する確認部４と、を備えた器具カウント装置を提供する。【選択図】図１
2010240272.tif 000002
【特許請求の範囲】
【請求項１】
手術室に持ち込まれた器具の本数を長さごとに記録する記憶部と、
投函された器具を長さごとに分別する分別部と、
前記分別部で分別された器具を長さごとに集計する集計部と、
前記集計部が集計した結果と前記記憶部の記録とを照合して器具の不足の有無を確認する確認部と、
を有する器具カウント装置。
【請求項２】
請求項１に記載の器具カウント装置において、
前記分別部は、
器具を搬送する搬送ベルトと、
前記搬送ベルトの一の端部から他の端部に向けた側壁であって、前記一の端部側の端が、前記他の端部側の端よりも、前記搬送ベルトの搬送方向の上流となるように配置された側壁と、を有し、
前記集計部は、
器具の通過を検知する複数のセンサであって、前記搬送ベルトの他の端部側に、前記搬送ベルトの搬送方向に順次設置された複数のセンサと、
前記複数のセンサごとの検知数をそれぞれカウントするカウンタと、
を有することを特徴とする器具カウント装置。
【請求項３】
請求項２に記載の器具カウント装置において、
前記分別部は、さらに、
前記搬送ベルト上に設置された複数の突起と、
器具が前記複数の突起同士の間にそれぞれ配置されるように、前記搬送ベルト上に器具を配置する器具配置部と、
を備えることを特徴とする器具カウント装置。
【請求項４】
請求項３に記載の器具カウント装置において、
前記器具配置部は、
器具が投函される投函口であって、一端が他端よりも広い投函口を有することを特徴とする器具カウント装置。
【請求項５】
請求項２に記載の器具カウント装置において、
前記搬送ベルトは、前記一の端部よりも前記他の端部の方が高い傾斜を有することを特徴とする器具カウント装置。
【発明の詳細な説明】
【技術分野】
【０００１】
手術に使用される器具の紛失の有無を確認することができる器具カウント装置に関する。
【背景技術】
【０００２】
従来、病院では、手術後にメスなどの手術器具を患者の体内に置き忘れるといった医療事故を無くすため、人手によって、手術後に手術で使用した全ての器具（メスやピンセットなど）の数を数え、手術前の数と一緒であることを確認して、患者の体内に手術器具の置き忘れが無いことを確認している。
【０００３】
また手術器具は非常に数が多く、器具を多く使う手術の場合には１００〜２００個の手術器具が使用される。
【０００４】
なお、従来技術として、以下の文献が開示されている。
【先行技術文献】
【特許文献】
【０００５】
【特許文献１】特開２００６−２８０４４５号広報
【発明の概要】
【発明が解決しようとする課題】
【０００６】
手術器具は手術後に人手によってカウントされているため、カウントおよび集計作業に３０分〜１時間程度の時間を要する。また手術器具のカウントは高度な専門職である看護師が行っており、看護師が患者に対する看護の時間を確保するといった点でも、手術後の手術器具カウント時間の短縮は重要度の高い要望である。
【０００７】
本発明は上述した問題点を解決するためになされたものであり、手術後に手術器具の数をカウントし、手術前後での器具の数を集計することで、照合、不足有無の確認を行う器具カウント装置を提供することを目的とする。
【課題を解決するための手段】
【０００８】
器具カウント装置は、手術室に持ち込まれた器具の本数を長さごとに記録する記憶部と、投函された器具を長さごとに分別する分別部と、前記分別部で分別された器具を長さごとに集計する集計部と、前記集計部が集計した結果と前記記憶部の記録とを照合して器具の不足の有無を確認する確認部と、を有する。
【発明の効果】
【０００９】
器具の長さに基づき、器具をカウントすることが可能となり、手術前後で器具数が異なった場合に器具が足りないかを使用者に提示することができる。
【図面の簡単な説明】
【００１０】
【図１】本実施の形態に係る器具カウント装置の機能の一例を示すブロック図である。
【図２】本実施の形態の器具カウント装置を用いた処理の一例を説明するための図である。
【図３】本実施の形態に係る器具カウント装置の装置構成の一例を説明するための図である。
【図４】本実施の形態に係る投函口の形状の一例を説明するための図である。
【図５】本実施の形態に係る搬送ベルトの傾斜状態の一例を示す図である。
【図６】本実施の形態に係る入力画面、集計結果画面の一例を示す図である。
【図７】本実施の形態に係る情報処理装置の内部ハードウェア構成の一例を示す図である。
【発明を実施するための形態】
【００１１】
図１に、本実施の形態に係る器具カウント装置の機能ブロックの一例を示す。器具カウント装置１００は、記憶部１、分別部２、集計部３、確認部４を有する。
【００１２】
記憶部１は、手術室に持ち込まれた器具の、手術前の本数を長さごとに記録する。尚、本実施の形態では、手術前の器具の本数は、手術前に予め使用者によってカウントされ、記憶部１に設定されるものとする。
【００１３】
分別部２は、手術後に、使用者によって投函された器具を長さごとに分別する。集計部３は、分別部２によって分別された器具を長さごとに集計する。確認部４は、集計部３が集計した結果と記憶部１の記録とを照合して器具の不足の有無を確認する。また確認部４は、集計部３による集計結果を使用者に表示する。
【００１４】
次に、器具カウント装置１００を用いた器具の分別、集計方法を、図２を参照しつつ説明する。まず、記憶部１は、手術前に、使用者から手術に使用される器具ごとの数を取得し、これら取得データを保持する（Ｓ１）。尚、記憶部１は、情報処理装置３１の入出力部９５６（後述）を介して、使用者が入力した器具ごとの数を取得する。その後、記憶部１は、器具それぞれの長さに応じて、器具を複数のタイプに分け、タイプごとに当該タイプに含まれる器具の本数を集計する（Ｓ２）。尚、本実施の形態では、器具それぞれがどれほどの長さであるかは予め定義されているものとする。
【００１５】
手術が実施された後、使用された器具は分別部２に投函される。分別部２は、器具を上述のタイプごとすなわち器具を長さごとに分別し（Ｓ３）、集計部３は、分別された器具を、タイプごとすなわち器具の長さごとに集計する（Ｓ４）。確認部４は、集計部３が集計したタイプごとの集計値と記憶部１に記録されているタイプごとの集計値とを比較し、器具の不足の有無を確認する（Ｓ５）。尚、タイプについては後述する。
【００１６】
図３に、器具カウント装置１００の装置構成の一例を示し、上述の各機能部について説明する。
【００１７】
まず分別部２について説明する。分別部２は、投函口１１、ブラシ状均し部１２、ハザード１３、端部壁１４、搬送ベルト１５を有する。
【００１８】
投函口１１は、手術後、使用された器具が投函される部位である。ブラシ状均し部１２は、搬送ベルト１５上に配置された器具を一本ずつ均すブラシ状の部位である。ハザード１３は、搬送ベルト１４の端部（図３では奥側の端部。以下、奥端部と称す。）から他の端部（図３では手前側の端部。以下、手前端部と称す。）まで、搬送ベルト１５を横切るように、搬送ベルト１５の搬送方向斜めに設置されている側壁である。すなわち、ハザード１３の奥側の端が、手前側の端よりも、搬送ベルト１５の搬送方向の上流側となるようにハザード１３は配置される。
【００１９】
端部壁１４は、搬送ベルト１５に配置された器具が転落しないように器具を支持する側壁である。搬送ベルト１５は、図示しない動力部から動力を得ることで、器具を一定速度で搬送するベルトである。また搬送ベルト１５は、搬送ベルト１５上に配置される器具を個別に仕切るための突起１６を有している。突起１６は搬送ベルト１５上に等間隔に配置され、また器具は、ブラシ状均し部１２による均しによって突起１６の間にそれぞれ配置される。
【００２０】
次に、集計部３について説明する。集計部３は、センサ２１、カウンタ２２、器具回収部２３を有する。
【００２１】
センサ２１は、器具の通過を検知する複数の光センサであり、搬送ベルト１５の手前端部側に、搬送ベルト１５の搬送方向に順次設置されている。カウンタ２２は、センサ２１ごとの検知数をそれぞれカウントする。器具回収部２３は、器具を回収するスロープを有する部位である。
【００２２】
また器具カウント装置１００は、記憶部１、確認部４の機能を実現するために、演算処理装置、記憶装置、およびディスプレイ等の表示部を有する情報処理装置３１を有する。情報処理装置３１は、カウンタ２２と接続されており、カウンタ２２がカウントしたセンサ２１ごとの検知数を取得し、このセンサ２１ごとの検知数を集計し、使用者へ通知する。
【００２３】
ここで、分別部２、集計部３の動作の詳細について説明する。
【００２４】
投函口１１から投函された器具５０は、搬送ベルト１５に一旦置かれ、搬送ベルト１５の搬送方向に移動される。この状態では、器具５０が上下に多重に重なった状態となる場合もあるため、ブラシ状均し部１２はこの多重に重なった状態の器具５０を１つずつ突起１６の間に収まるように均す。
【００２５】
このように１つずつに均された器具５０は、さらに搬送ベルト１５の搬送方向に移動され、ハザード１３まで到達する。器具５０は、搬送方向に対し斜めに配置されたハザード１３により、手前端部から搬送ベルト１５の外部に押し出される。押し出される位置は、器具５０の長さによって異なり、長い器具ほど運搬方向の上流側となる。
【００２６】
搬送ベルト１５に沿うように順次配置されている複数のセンサ２１それぞれが、押し出された器具５０が通過したかを検知し、センサ２１それぞれに対応したカウンタ２２がセンサ２１の検知をカウントする。
【００２７】
このように、器具５０が押し出される位置に対応したセンサ２１の検知をカウントすることで、器具５０を長さ別に集計することができる。尚、上述のタイプとは、このセンサ２１の検知位置に対応したものである。
【００２８】
ここで、投函口１１の形状について図４を参照しつつ説明する。図４（Ａ）は、投函口１１の外観斜視図であり、図４（Ｂ）は、投函口１１を上側から見た平面図である。投函口１１は、図４（Ｂ）に示すように一端が広く、他端が狭い形状をしている。尚、本実施の形態では、奥端部側が狭く、手前端部側が広くなるように投函口１１が配置されているものとする。
【００２９】
このような形状とすることで、例えば手術用のハサミ等、重心に隔たりのある器具の向きを一定にすることができる。手術用のハサミが図４（Ｃ）のような向きでは、持ち手部分が投函口１１に引っ掛かるため搬送ベルト１５には配置されないが、図４（Ｄ）の向きで投函されることで搬送ベルト１５に配置される。
【００３０】
次に、搬送ベルト１５の傾斜状態について、図５を参照しつつ説明する。図５は、搬送ベルト１５の搬送方向の対面から見た場合の模式図である。図５に示すように、搬送ベルト１５は、手前端部すなわちセンサ２１が配置されている側の方が、奥端部すなわちハザード１３側の方よりも高くなっている。
【００３１】
このように搬送ベルト１５に傾斜を設けることで、器具５０は、搬送ベルト１５上では自重により常にハザード１３（または端部壁１４）と接するようになり、器具５０の端部を揃えることができる。これは、器具５０が、より正確な位置で手前端部から搬送ベルト１５外部へ押し出されるという効果を奏する。
【００３２】
図６に、本実施の形態の入力画面例、および集計結果画面例を示す。図６（Ａ）に、記憶部１によって表示される、使用者から器具の入力を受け付ける入力画面例を示し、図６（Ｂ）に確認部４によって表示される集計結果の表示例を示す。記憶部１には、器具カウント装置１００を使用する医療機関内で、保持管理されている器具の種別（器具種別）と、当該器具の長さとの対応テーブルを予め有している。また記憶部１は、「タイプ１」は５０ｍｍ未満、「タイプ２」は５０ｍｍ以上から７０ｍｍ未満等、タイプ種別（図２の説明でのタイプと同義）と長さの範囲との対応テーブルを予め有している。尚、タイプ種別と長さ範囲との対応テーブルは、センサ２１の配置位置、配置間隔や、ハザード１３の搬送方向に対する設置角度に基づき、設計される値である。
【００３３】
使用者は、図６（Ａ）で示した入力画面に対し、いずれの器具種別が手術室に持ち込まれるかを、チェックボックス（図６（Ａ）の「選択」欄）に印を付すことで選択し、また当該器具を手術室に何本持ち込むかの数を入力する。記憶部１は、この入力データおよび予め定義された上述２つの対応テーブルに基づき、手術室に持ち込まれる器具種別、手術室に持ち込まれる本数、当該器具の長さ、当該器具のタイプ種別の対応関係を保持する。また記憶部１は、いずれの器具種別が何本あるかを、タイプ種別ごとに集計し、集計値を保持する。
【００３４】
図６（Ｂ）は、確認部４によって表示される集計結果であるが、「手術前」の各種データは、記憶部１によって保持されている器具種別、本数、タイプ種別（長さ別）ごとの集計値である。また、「手術後」のデータは、手術後に分別部２、集計部３の上述動作がなされることによって集計された結果の値である。
【００３５】
確認部４は、手術前の集計結果と手術後の集計結果とを照合することで、集計結果の数値に差があるか否か判定し、差がある場合は当該箇所を反転表示する。
【００３６】
このように確認部４による集計結果が表示されることで、使用者は、手術後に回収した器具の長さごとの本数の集計結果から、どの長さの器具が不足しているのか、また、その長さの器具として、どのような器具種別があるかが判断できる。
【００３７】
最後に、上述の記憶部１、確認部４の機能を実現するための情報処理装置３１のハードウェア構成について、図７を参照しつつ説明する。情報処理装置３１は、演算処理装置であるＣＰＵ（Central Processing Unit）９５１、主記憶装置であるメモリ９５２、ＣＤ−ＲＯＭ等の記憶メディアを格納し、データの読み書きを行うディスクドライブ９５３を有する。また情報処理装置３１は、磁気ディスク装置やフラッシュメモリ等、本実施の形態を実現するためのプログラムやデータを保持するための不揮発性の記憶装置である不揮発性記憶装置９５４を有し、また、カウンタ２２とのデータの通信を可能にし、また制御するＩ／Ｏ装置９５５を有する。さらに、情報処理装置３１は、図６で示した、入力画面、集計結果画面を使用者に表示するためのディスプレイや、使用者からの入力を受け付けるキーボード等の入出力部９５６を有する。
【００３８】
上述した記憶部１、確認部４は、ＣＰＵ９５１、メモリ９５２、不揮発性記憶装置９５４、Ｉ／Ｏ装置９５５、入出力部９５６のハードウェア資源と、不揮発性記憶装置９５４内に予め保持されているプログラムとが協働することで実現される。
【００３９】
尚、本実施の形態では、使用者によって入力されたデータに基づいた、手術前の集計値と、上述した分別処理、集計処理を行うことで得られた手術後の集計値とを比較するものとしたが、衛生管理が万全であることを前提として、手術前に、手術後と同様に器具を長さ毎に分別し、カウントして、長さごとの数を記録部１が記録しておき、手術後にカウントをした数と比べるというような処理も可能である。このようにすることで、手術前後の器具の対比を自動的に行うことができる。
【００４０】
器具配置部は、本実施の形態の投函口１１、ブラシ状均し部１２に対応する。
【００４１】
本実施の形態で示した器具カウント装置によって、器具にＩＣタグ等つけることなく、手術器具を特定し、器具別にカウントすることが可能となる。また手術前後で器具数が異なった場合に、どの器具が足りないかを使用者に提示することができる。
【００４２】
本発明は、その精神または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【００４３】
以上、本実施の形態によれば、以下の付記で示す技術的思想が開示されている。
（付記１）  手術室に持ち込まれた器具の本数を長さごとに記録する記憶部と、
投函された器具を長さごとに分別する分別部と、
前記分別部で分別された器具を長さごとに集計する集計部と、
前記集計部が集計した結果と前記記憶部の記録とを照合して器具の不足の有無を確認する確認部と、
を有する器具カウント装置。
（付記２）  付記１に記載の器具カウント装置において、
前記分別部は、
器具を搬送する搬送ベルトと、
前記搬送ベルトの一の端部から他の端部に向けた側壁であって、前記一の端部側の端が、前記他の端部側の端よりも、前記搬送ベルトの搬送方向の上流となるように配置された側壁と、を有し、
前記集計部は、
器具の通過を検知する複数のセンサであって、前記搬送ベルトの他の端部側に、前記搬送ベルトの搬送方向に順次設置された複数のセンサと、
前記複数のセンサごとの検知数をそれぞれカウントするカウンタと、
を有することを特徴とする器具カウント装置。
（付記３）  付記２に記載の器具カウント装置において、
前記分別部は、さらに、
前記搬送ベルト上に設置された複数の突起と、
器具が前記複数の突起同士の間にそれぞれ配置されるように、前記搬送ベルト上に器具を配置する器具配置部と、
を備えることを特徴とする器具カウント装置。
（付記４）  付記３に記載の器具カウント装置において、
前記器具配置部は、
器具が投函される投函口であって、一端が他端よりも広い投函口を有することを特徴とする器具カウント装置。
（付記５）  付記２に記載の器具カウント装置において、
前記搬送ベルトは、前記一の端部よりも前記他の端部の方が高い傾斜を有することを特徴とする器具カウント装置。
（付記６）  付記３に記載の器具カウント装置において、
前記器具配置部は、
前記搬送ベルト上に配置された器具を均すブラシ状の均し部を有することを特徴とする器具カウント装置。
【符号の説明】
【００４４】
１  記憶部、２  分別部、３  集計部、４  確認部、１１  投函口、１２  ブラシ状均し部、１３  ハザード、１４  端部壁、１５  搬送ベルト、１６  突起、２１  センサ、２２  カウンタ、２３  器具回収部、３１  情報処理装置、１００  器具カウント装置。
【図１】
2010240272.tif 000003
【図２】
2010240272.tif 000004
【図３】
2010240272.tif 000005
【図４】
2010240272.tif 000006
【図５】
2010240272.tif 000007
【図６】
2010240272.tif 000008
【図７】
2010240272.tif 000009